(57)【要約】【課題】  手書き入力された情報が多くなっても、見づらくなることなく、同時に参照することができる電子黒板を提供する。【解決手段】  本発明の電子黒板１は、文字および画像を表示する表示面を備えた表示装置３と、表示面に重ねて設けられた入力装置２とで構成されると共に、入力装置２で入力された手書き情報が、表示面に入力された位置と略同位置に表示される電子黒板であって、入力装置２から手書き情報と入力時刻を取得して記憶する手書き情報取得部１１と、手書き情報の入力時刻から経過時間を算出して監視する手書き情報監視部１３と、経過時間に応じて手書き情報の透過率を所定の透過率に変更する手書き表示変更部１４と、手書き情報を所定の透過率で表示装置に表示させる表示画像生成部１２を備えたことを特徴とする。【選択図】  図１
2014004783.tif 000002
【特許請求の範囲】
【請求項１】
文字および画像を表示する表示面を備えた表示装置と、
前記表示面に重ねて設けられた入力装置とで構成されると共に、
前記入力装置で入力された手書き情報が、前記表示面に入力された位置と略同位置に表示される電子黒板であって、
前記入力装置から前記手書き情報と入力時刻を取得して記憶する手書き情報取得部と、
前記手書き情報の入力時刻から経過時間を算出して監視する手書き情報監視部と、
前記経過時間に応じて前記手書き情報の透過率を所定の透過率に変更する手書き表示変更部と、
前記手書き情報を前記所定の透過率で前記表示装置に表示させる表示画像生成部を備えたことを特徴とする電子黒板。
【請求項２】
前記手書き表示変更部は、前記手書き情報の経過時間が長いほど前記手書き情報の透過率を上げることを特徴とする請求項１に記載の電子黒板。
【請求項３】
透過率が変更されて表示された古い手書き情報を選択して、前記古い手書き情報の透過率を元に戻すリセット機能を有し、
前記リセット機能は、前記手書き情報取得部で前記古い手書き情報の入力時効を現在時刻に書き換え、
前記手書き表示変更部で前記古い手書き情報の透過率を０％に変更することを特徴とする請求項１または２に記載の電子黒板。
【請求項４】
電子黒板に手書き情報を入力する手書き情報入力ステップと、
前記電子黒板に前記手書き情報を表示する手書き情報表示ステップと、
前記手書き情報が表示された経過時間を監視する手書き情報監視ステップと、
前記経過時間に応じて前記手書き情報の透過率を所定の透過率に変更して表示する手書き表示変更ステップとからなることを特徴とする電子黒板の表示制御方法。
【請求項５】
透過率が変更されて表示された古い手書き情報を選択する手書き情報選択ステップと、
選択された前記古い手書き情報の経過時間を０分にリセットする経過時間初期化ステップと、
選択された前記古い手書き情報の透過率を０％にリセットする透過率初期化ステップとを含むことを特徴とする請求項４に記載の電子黒板の表示制御方法。
【発明の詳細な説明】
【技術分野】
【０００１】
本発明は、手書き入力機能を有する電子黒板およびその表示制御方法に関する。
【背景技術】
【０００２】
従来から、タッチパネルを備える大型ディスプレイを用いた電子黒板が利用されている。電子黒板は、利用者が指またはタッチペン等によりタッチパネルに触れることにより、利用者による文字または記号等の手書き入力を受け付け、当該手書き情報をその位置に表示するものである。このような電子黒板は、プレゼンテーション、会議、または教育等、利用者が複数人に対して、説明を行う場合に有効である。
【０００３】
例えば、図６に示すように、特許文献１に開示される電子黒板２１は、当接した部材２０の位置を検出する位置検出装置２２と、位置検出装置２２により検出された部材の位置を表示させる表示装置２３と、位置検出装置２２と表示装置２３とを制御する制御手段とを備える。
【０００４】
そして、電子黒板２１は、位置検出装置２２に描いた軌跡をページ毎に記録し、ページ操作によって軌跡のあるページを呼び出すことにより、以前の奇跡を消去することなく新しいページを呼び出すことや、以前に描いたページを即座に呼び出すことができる。
【先行技術文献】
【特許文献】
【０００５】
【特許文献１】特開２００５−３３５１５６号公報
【発明の概要】
【発明が解決しようとする課題】
【０００６】
しかしながら、特許文献１の電子黒板は、位置検出装置２２に描かれた軌跡がページ毎に記録されるため、ページが異なる別々の軌跡を同時に参照できないという問題があった。また、複数の軌跡を同一のページに記録すると、軌跡同士が重なって見づらくなる問題があった。
【０００７】
本発明は、このような事情に鑑みてなされたものであり、手書き入力された情報が多くなっても、見づらくなることなく、複数の手書き情報を同時に参照することができる電子黒板を提供するものである。
【課題を解決するための手段】
【０００８】
上記の課題を解決するため、本発明の電子黒板は、文字および画像を表示する表示面を備えた表示装置と、表示面に重ねて設けられた入力装置とで構成されると共に、入力装置で入力された手書き情報が、表示面に入力された位置と略同位置に表示される電子黒板であって、入力装置から手書き情報と入力時刻を取得して記憶する手書き情報取得部と、手書き情報の入力時刻から経過時間を算出して監視する手書き情報監視部と、経過時間に応じて手書き情報の透過率を所定の透過率に変更する手書き表示変更部と、手書き情報を所定の透過率で表示装置に表示させる表示画像生成部を備えたことを特徴とする。
【０００９】
また、手書き表示変更部は、手書き情報の経過時間が長いほど手書き情報の透過率を上げることを特徴とする。
【００１０】
また、透過率が変更されて表示された古い手書き情報を選択して、古い手書き情報の透過率を元に戻すリセット機能を有し、リセット機能は、手書き情報取得部で古い手書き情報の入力時効を現在時刻に書き換え、手書き表示変更部で古い手書き情報の透過率を０％に変更することを特徴とする。
【００１１】
また、本発明の電子黒板の表示制御方法は、手書き情報を入力する手書き情報入力ステップと、電子黒板に手書き情報を表示する手書き情報表示ステップと、手書き情報が表示された経過時間を監視する手書き情報監視ステップと、経過時間に応じて手書き情報の透過率を所定の透過率に変更して表示する手書き表示変更ステップとからなることを特徴とする。
【００１２】
また、本発明の電子黒板の表示制御方法は、透過率が変更されて表示された古い手書き情報を選択する手書き情報選択ステップと、選択された古い手書き情報の経過時間を０分にリセットする経過時間初期化ステップと、選択された古い手書き情報の透過率を０％にリセットする透過率初期化ステップとを含むことを特徴とする。
【発明の効果】
【００１３】
本発明の電子黒板によれば、手書き入力された複数の情報が見づらくなることなく、同時に参照することができる。
【図面の簡単な説明】
【００１４】
【図１】本発明の電子黒板による手書き情報の表示を示す模式図である。
【図２】本発明の電子黒板の構成を示すブロック図である。
【図３】手書き情報テーブルと手書き表示変更テーブルを示す図である。
【図４】本発明の電子黒板の手書き情報の表示方法を示すフロー図である。
【図５】本発明の電子黒板の手書き情報の別の表示方法を示すフロー図である。
【図６】特許文献１の電子黒板を示す模式図である。
【発明を実施するための形態】
【００１５】
本発明の一実施形態について、図１から図５に基づいて説明する。なお、以下に詳述する構成は、本発明の具体的な一例に過ぎず、本発明はこれに限定されるものではない。
【実施例１】
【００１６】
図１は、本発明の実施例１に係る電子黒板１において、複数の手書き情報ＨＷ１〜ＨＷnｎ（ｎ：自然数、書込み順を表わす）を表示した状態を示す模式図である。本発明の電子黒板１は、タッチパネル等の入力装置２と、ディスプレイ等の表示装置３と、画像処理装置４とを備えている。電子黒板１は、入力装置２を表示装置３の文字および画像の表示面に重ねて配置しており、入力装置２により書き込まれた手書き情報ＨＷｎを画像処理装置４で画像処理して、表示装置３の表示面に入力された位置と略同位置に表示する。
【００１７】
図１に示すように、本発明の電子黒板１は、順次に書き込まれた手書き情報ＨＷ１〜ＨＷ４を、書き込み後の経過時間に対応した透過率で表示装置２に表示することを特徴としている。具体的には、書き込まれて長時間経過した古い手書き情報ＨＷｎほど透過率を上げて薄く表示することにより、例えば、元の表示画像や、書き込まれたばかりの新しい手書き情報ＨＷｎと重なっても、表示画像として見づらくならないようにすることができる。
【００１８】
図２は、本発明の電子黒板１の構成を示すブロック図である。電子黒板１は、入力装置２、表示装置３、および画像処理装置４を備えている。画像処理装置４は、入力装置２と表示装置３との間で手書き情報ＨＷｎを画像処理して受け渡すものであり、手書き情報取得部１１、表示画像生成部１２、手書き情報監視部１３、および手書き表示変更部１４を備えている。
【００１９】
手書き情報取得部１１は、入力装置２により書き込まれる手書き情報ＨＷｎを順次取得して、各々の手書き情報ＨＷ１〜ＨＷｎを手書き入力された時刻と共に記憶装置に保存する。記憶装置に保存された手書き情報ＨＷ１〜ＨＷｎとそれぞれの入力時刻は、例えば、図３（ａ）に示す手書き情報テーブル１５のように関連付けられている。
【００２０】
図２に示す表示画像生成部１２は、手書き情報取得部１１に新たな手書き情報ＨＷｎが取得されると、新たな手書き情報ＨＷｎを表示画像に追加し、表示装置３に更新した表示画像を出力する。また、既に追加された古い手書き情報ＨＷｎについては、後述する手書き表示変更部１４によって、手書き情報Ｈｗｎを表示する際の透過率を指定された値に変更して、更新した表示画像を表示装置３に出力する。
【００２１】
手書き情報監視部１３は、それぞれの手書き情報ＨＷ１〜ＨＷｎが書き込まれてから経過した経過時間を、現在時刻と手書き情報テーブル１５に保存された入力時刻から算出する。さらに、手書き情報ＨＷｎが所定時間を経過すると、その手書き情報ＨＷｎを経過時間と共に手書き表示変更部１４へ送る。
【００２２】
手書き表示変更部１４は、手書き情報ＨＷｎを表示する際の透過率を経過時間に応じて変更し、表示画像生成部１２に表示画像を更新するように指示する。手書き情報ＨＷｎを表示する際の透過率は、例えば、図３（ｂ）に示す手書き表示変更テーブル１６に基づいて変更される。手書き表示変更テーブル１６に示すように、書き込まれてから時間が経過するほど手書き情報ＨＷｎの透過率を上げて表示することにより、古い手書き情報ＨＷｎは目立たなくなり、新たな手書き情報ＨＷｎが追加されて重なっても、表示画像が見づらくなることが防止される。
【００２３】
なお、図３（ｂ）に示す手書き表示変更テーブル１６の数値は、一例であり、経過時間と透過率の値は、表示画像としての見易さを考慮して適宜設定することができる。ただし、所定時間の経過後の透過率は、手書き情報ＨＷｎを完全に透過させる（透過率１００％）まで上げないで、書込み情報ＨＷｎの位置が透過率の変更後も常に判別できるようにしておくことが望ましい。例えば、透過率が変更された手書き情報ＨＷｎの位置で、利用者によりダブルクリック等の何らかの外部信号が入力されると、書き込み時の状態である透過率０％の表示に戻すことにより、古い書込み情報ＨＷｎを見易くして再利用することもできる。
【００２４】
図４は、本発明の実施例１の電子黒板１における手書き情報ＨＷｎの表示方法を示したフローチャートである。図４に示すフローチャートを用いて、電子黒板１の手書き入力モードの開始から終了までのステップを説明するが、電子黒板１を常時手書き入力可能な状態として使用することもできる。
【００２５】
まず、電子黒板１において手書き入力モードが選択されると、ステップＳ１に移行し、手書き入力待ちの状態となる。ステップＳ１で、入力装置２に手書き入力が所定時間（例えば、３０分）行われない状態が続くと手書き入力モードが終了される。
【００２６】
入力装置２に手書き入力が行われるとステップＳ２に移行し、入力された手書き情報ＨＷｎと入力時刻を手書き情報テーブル１５に保存する。このとき、手書き情報取得部１１は、入力装置２に入力が無くなった状態が所定期間（例えば、３０秒）続くと入力が完了したと判断し、その間に書き込まれた情報を１つの手書き情報ＨＷｎとして取得し、また、その時刻を入力時刻として取得する。
【００２７】
ステップＳ３において、取得された手書き情報ＨＷｎは、表示画像生成部１２で表示画像に追加され、ステップＳ４で手書き情報ＨＷｎを更新された表示画像が表示装置２に出力される。その後、ステップＳ１に戻り、次の手書き入力待ち状態となる。
【００２８】
一方、表示装置２に手書き情報ＨＷｎが表示された後、図４のＡからＢに示す透過率の変更モードの手順で、手書き情報ＨＷｎの経過時間が算出され、経過時間に応じて手書き情報ＨＷｎの透過率が変更される。
【００２９】
ステップＳ５では、表示した手書き情報ＨＷの経過時間が手書き情報監視部１３で監視される。手書き情報ＨＷｎの経過時間は、現在時刻と手書き情報テーブル１５に保存された入力時刻との引き算により算出される。
【００３０】
ステップＳ６は、手書き情報ＨＷｎの経過時間を手書き表示変更テーブル１６の所定時間と比較し、所定時間を経過した手書き情報ＨＷｎについては、ステップＳ７で、手書き表示変更テーブル１６に基づいて表示装置３に表示する際の透過率を１０〜９０％に変更する。
【００３１】
なお、透過率の最大値を１００％（完全に透過）まで変更しないのは、後述する手書き情報の透過率のリセットにおいて、古い手書き情報ＨＷｎを表示画面で認識できることで、リセットする対象を選択できるようにするためである。
【００３２】
透過率が変更された手書き情報ＨＷｎは、ステップＳ３、ステップＳ４を経て、表示画像として更新されて表示装置３に再表示される。再表示される手書き情報ＨＷｎは、経過時間が長いほど透過率が大きくなって薄く表示されるため、古い手書き情報ＨＷｎほど目立たなくなり、新たな手書き情報ＨＷｎが追加されて重なって表示されても、表示画像が見づらくなることが防止される。
【００３３】
上記のように、本発明の電子黒板１は、表示画像に古い手書き情報と新たな手書き情報とが混在しても、見づらくなることを防止できるが、例えば、古い手書き情報と新たな手書き情報を比較するような場合に、古い手書き情報をもう一度見易く表示するため、手書き情報の透過率を入力時の透過率である０％にリセットする必要が生じる。
【００３４】
図５は、古い手書き情報の透過率のリセットモードを説明するためのフローチャートである。透過率のリセットは、図４に示す全体フローにおいて、ＡからＢに至る透過率の変更モード（ステップＳ５〜Ｓ７）に代わって、図５のＡ´からＢ´に至るリセットモード（ステップＳ８〜Ｓ１０）が実行されることによりリセットされる。なお、リセットモードの始点Ａ´と終点Ｂ´は、図４の全体フローにおける変更モードの始点Ａと終点Ｂと同じ位置を示している。
【００３５】
まず、ステップＳ８で、リセットしたい古い手書き情報ＨＷｎを選択する。手書き情報の選択は、今までに入力された古い手書き情報ＨＷｎのリストを表示して、そのリストから選択してもよい。また、古い手書き情報は、経過時間が一定時間以上となっても、表示が消えない（最大透過率が９０％）ため、例えば、表示画面上の古い手書き情報ＨＷｎをダブルクリック等により直接選択するようにすれば操作性を向上することができる。
【００３６】
古い手書き情報ＨＷｎが選択されると、ステップＳ９に移行し、手書き情報取得部１１において、古い手書き情報ＨＷｎの経過時間がリセットされる。このとき、古い手書き情報ＨＷｎは、手書き情報テーブル１５に保存されていた入力時刻が現在時刻に書き換えられることで、新たな手書き情報と同様に経過時間が０分にリセットされる。
【００３７】
ステップ１０では、手書き表示変更部１４が、手書き情報取得部１１から透過率リセットの指示（図２破線矢印）を受けて、経過時間に応じて変更されていた透過率を０％に戻す。透過率が０％に戻った古い手書き情報ＨＷｎは、表示画像生成部１２において、ステップＳ３、ステップＳ４を経て、表示画像として更新されて表示装置３に再表示される。
【００３８】
以上のようにして、リセットされた古い手書き情報ＨＷｎは、経過時間が０分から新たにカウントされ始めるとともに、変更されていた透過率も０％に戻されて濃く表示されるので、新たな手書き情報のように見易く表示されて再利用することができる。
【符号の説明】
【００３９】
１、２１  電子黒板
２、２２  入力装置（タッチパネル）
３、２３  表示装置（ディスプレイ）
４  画像処理装置
１１  手書き情報取得部
１２  表示画像生成部
１３  手書き情報監視部
１４  手書き表示変更部
１５  手書き情報テーブル
１６  手書き表示変更テーブル
【図１】
2014004783.tif 000003
【図２】
2014004783.tif 000004
【図３】
2014004783.tif 000005
【図４】
2014004783.tif 000006
【図５】
2014004783.tif 000007
【図６】
2014004783.tif 000008